【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
物体側から像側へ順に、ズーミングに際して不動の正の屈折力の第１レンズ群と、ズーミングに際して、移動する負の屈折力の第２レンズ群と、該第２レンズ群の移動に連動して光軸上を移動する正の屈折力の第３レンズ群と、ズーミングに際して不動の正の屈折力の第４レンズ群と、を有するズームレンズであって、
該第２レンズ群は少なくとも１つの正レンズと少なくとも１つの負レンズを有しており、
該第２レンズ群を構成する負レンズの材料のアッベ数と部分分散比の平均値を各々νｎａ、θｎａ、該第２レンズ群を構成する正レンズの材料のアッベ数と部分分散比の平均値を各々νｐａ、θｐａとするとき、
（θｐａ−θｎａ）／（νｐａ−νｎａ） ＜−３．７×１０−３
なる条件を満足することを特徴とするズームレンズ。
【請求項２】
前記第２レンズ群に含まれるレンズのうち、材料のアッベ数がもっとも小さい負レンズの焦点距離、材料のアッベ数と部分分散比を各々ｆ２ｎ、νｎ、θｎとし、材料のアッベ数がもっとも大きい正レンズの焦点距離、材料のアッベ数と部分分散比を各々ｆ２ｐ、νｐ、θｐとするとき、
（θｐ−θｎ）／（νｐ−νｎ）＜−５．０×１０−３
−２．０＜（１／ｆ２）／（１／ｆ２ｐ−１／ｆ２ｎ）＜−０．２
なる条件を満足することを特徴とする請求項１のズームレンズ。
【請求項３】
前記第２レンズ群に含まれる正レンズの屈折力の合計値をφｐ、該第２レンズ群に含まれる負レンズの屈折力の合計値をφｎ、第２レンズ群の屈折力をφ２とするとき、
φｐ／φ２＜−０．５
φｎ／φ２＞１．５
なる条件を満足することを特徴とする請求項１又は２のズームレンズ。
【請求項４】
前記第２レンズ群は物体側から像側へ順に、物体側の面が凸でメニスカス形状の負レンズ、両凹形状の負レンズ、両凸形状の正レンズ、物体側の面が凹形状の負レンズで構成されることを特徴とする請求項１乃至３のいずれか１項のズームレンズ。
【請求項５】
前記第１レンズ群の焦点距離をｆ１、前記第２レンズ群の焦点距離をｆ２とするとき、
９．５＜｜ｆ１／ｆ２｜＜１１
なる条件を満足することを特徴とする請求項１乃至４のいずれか１項のズームレンズ。
【請求項６】
前記第１レンズ群の焦点距離をｆ１、前記ズームレンズの望遠端における全系の焦点距離をｆｔｅｌｅとするとき、
３．９＜ｆｔｅｌｅ／ｆ１＜６
なる条件を満足することを特徴とする請求項１乃至５のいずれか１項のズームレンズ。
【請求項７】
前記第１レンズ群の焦点距離をｆ１、前記ズームレンズの広角端における全系の焦点距離をｆｗｉｄｅとするとき、
２５＜ｆ１／ｆｗｉｄｅ＜３０
なる条件を満足することを特徴とする請求項１乃至６のいずれか１項のズームレンズ。
【請求項８】
前記第２レンズ群は物体側から像側へ順に、像側が凹形状の負レンズ、両凹形状の負レンズと両凸形状の正レンズとを接合した接合レンズ、物体側が凹形状の負レンズより構成されることを特徴とする請求項１乃至３のいずれか１項のズームレンズ。
【請求項９】
請求項１乃至８のいずれか１項のズームレンズと、該ズームレンズによって形成された像を受光する固体撮像素子を有することを特徴とする撮像装置。
【手続補正２】
【補正対象書類名】明細書
【補正対象項目名】００１７
【補正方法】変更
【補正の内容】
【００１７】
本発明のズームレンズは、物体側から像側へ順に、ズーミングに際して不動の正の屈折力の第１レンズ群と、ズーミングに際して、移動する負の屈折力の第２レンズ群と、該第２レンズ群の移動に連動して光軸上を移動する正の屈折力の第３レンズ群と、ズーミングに際して不動の正の屈折力の第４レンズ群と、を有するズームレンズであって、
該第２レンズ群は少なくとも１つの正レンズと少なくとも１つの負レンズを有しており、
該第２レンズ群を構成する負レンズの材料のアッベ数と部分分散比の平均値を各々νｎａ、θｎａ、該第２レンズ群を構成する正レンズの材料のアッベ数と部分分散比の平均値を各々νｐａ、θｐａとするとき、
（θｐａ−θｎａ）／（νｐａ−νｎａ） ＜−３．７×１０−３
なる条件を満足することを特徴としている。
【手続補正３】
【補正対象書類名】明細書
【補正対象項目名】００３３
【補正方法】削除
【補正の内容】
【手続補正４】
【補正対象書類名】明細書
【補正対象項目名】００３６
【補正方法】変更
【補正の内容】
【００３６】
各実施例のレンズ断面図において、Ｕ１はズーミングに際して不動の正の屈折力の第１レンズ群である。第１レンズ群Ｕ１は、全体を移動することにより、フォーカスを行っている。
【手続補正５】
【補正対象書類名】明細書
【補正対象項目名】００４６
【補正方法】変更
【補正の内容】
【００４６】
第２レンズ群Ｕ２を構成する負レンズの材料のアッベ数と部分分散比の平均値を各々νｎａ、θｎａとする。第２レンズ群Ｕ２を構成する正レンズの材料のアッベ数と部分分散比の平均値を各々νｐａ、θｐａとする。このとき、
（θｐａ−θｎａ）／（νｐａ−νｎａ） ＜−３．７×１０−３ ・・・（１）
なる条件を満足している。
【手続補正６】
【補正対象書類名】明細書
【補正対象項目名】００６６
【補正方法】変更
【補正の内容】
【００６６】
第２レンズ群Ｕ２に含まれるレンズのうち、材料のアッベ数がもっとも小さい負レンズの焦点距離、材料のアッベ数と部分分散比を各々ｆ２ｎ、νｎ、θｎとする。
【手続補正７】
【補正対象書類名】明細書
【補正対象項目名】００６７
【補正方法】変更
【補正の内容】
【００６７】
また第２レンズ群Ｕ２に含まれるレンズのうち材料のアッベ数がもっとも大きい正レンズの焦点距離、材料のアッベ数と部分分散比を各々ｆ２ｐ、νｐ、θｐとする。
【手続補正８】
【補正対象書類名】明細書
【補正対象項目名】００７０
【補正方法】変更
【補正の内容】
【００７０】
ズームレンズの望遠端における全系の焦点距離をｆｔｅｌｅとする。ズームレンズの広角端における全系の焦点距離をｆｗｉｄｅとする。
【手続補正９】
【補正対象書類名】明細書
【補正対象項目名】００８２
【補正方法】変更
【補正の内容】
【００８２】
条件式（７）は、望遠端における全系の焦点距離と第１レンズ群Ｕ１の焦点距離の比を規定することにより、高倍率化（高ズーム比化）を達成しながら軸上色収差を良好に補正している。
【手続補正１０】
【補正対象書類名】明細書
【補正対象項目名】００８５
【補正方法】変更
【補正の内容】
【００８５】
条件式（８）は、第１レンズ群Ｕ１の焦点距離と広角端における全系の焦点距離の比を規定している。
【手続補正１１】
【補正対象書類名】明細書
【補正対象項目名】０１０７
【補正方法】変更
【補正の内容】
【０１０７】
焦点距離、Ｆナンバー、画角はそれぞれ無限遠物体に焦点を合わせたときの値を表している。ＢＦはガラスブロックの最終面から像面までの距離である。
【手続補正１２】
【補正対象書類名】明細書
【補正対象項目名】０１１６
【補正方法】変更
【補正の内容】
【０１１６】
［数値実施例３］
面データ
面番号       r        d      nd        νd     有効径   θgF  焦点距離
1       7000.000    6.00   1.83400    37.2   213.61  0.5775 -449.052
2        357.503    2.00                     205.79
3        357.503   29.40   1.43387    95.1   205.38  0.5373  485.048
4       -501.918   22.37                     204.27
5        336.083   17.77   1.43387    95.1   196.11  0.5373  776.526
6       66701.633    0.25                     195.59
7        269.153   19.82   1.43387    95.1   191.51  0.5373  654.885
8       4775.593    0.25                     190.29
9        180.677   15.41   1.43875    95.0   177.89  0.5342  786.874
10        368.154  (可変)                      175.98
11       2480.029    2.00   2.00330    28.3    45.42  0.5980  -45.975
12         45.638    8.92                      40.05
13        -56.112    2.00   1.88300    40.8    39.59  0.5667  -35.474
14         73.053    8.84   1.94595    18.0    40.61  0.6545   37.281
15        -65.772    0.60                      41.51
16        -65.663    2.00   1.88300    40.8    41.54  0.5667  -72.711
17*      3965.269  (可変)                       43.32
18         99.671   14.10   1.56907    71.3    85.55  0.5451  170.117
19*     -3619.474    0.20                      85.60
20         96.176   13.65   1.49700    81.5    85.93  0.5375  193.636
21       25787.680    0.20                      84.86
22        422.158    2.50   1.84666    23.8    83.83  0.6205 -183.820
23        114.219   18.45   1.43875    95.0    81.17  0.5342  147.386
24       -142.520    0.20                      80.02
25*       217.708    4.93   1.43875    95.0    75.65  0.5342  469.490
26      -3985.731  (可変)                       74.31
27(絞り)    ∞       8.52                       36.54
28       -567.828    1.40   1.81600    46.6    31.98  0.5568  -36.016
29         31.195    0.20                      30.48
30         27.263    6.22   1.84666    23.8    30.96  0.6205   41.868
31        102.304    6.91                      29.97
32        -60.794    1.40   1.88300    40.8    27.95  0.5667 -980.787
33        -66.064    2.37                      27.92
34        -45.875    1.80   1.75500    52.3    27.12  0.5476  -62.063
35      -1836.601    1.22   1.84666    23.8    27.24  0.6205  -99.966
36         89.675    3.03                      27.31
37          ∞      14.90   1.62041    60.3    27.96  0.5426 2371.111
38      -1476.882    5.50                      30.92
39         87.779    7.61   1.48749    70.2    33.16  0.5300   64.850
40        -48.256    0.20                      33.40
41       -113.704    1.60   1.88300    40.8    32.90  0.5667  -50.945
42         75.650    8.54   1.48749    70.2    32.93  0.5300   59.272
43        -45.265    0.20                      33.39
44        242.283    8.95   1.56732    42.8    32.61  0.5730   44.297
45        -27.834    1.60   1.88300    40.8    32.03  0.5667  -41.331
46       -118.251    0.20                      32.56
47         59.750    6.83   1.48749    70.2    32.32  0.5300   71.520
48        -81.233   14.00                      31.62
49          ∞      33.00   1.60859    46.4    60.00  0.5664    ∞
50          ∞      13.20   1.51633    64.2    60.00  0.5352    ∞
51          ∞ 60.00
像面        ∞   
【手続補正１３】
【補正対象書類名】明細書
【補正対象項目名】０１１７
【補正方法】変更
【補正の内容】
【０１１７】
非球面データ
第17面
K =-2.53234e+004  A 4=-3.38222e-007  A 6=-1.13320e-010  A 8= 1.04282e-013
第19面
K = 5.22565e+003  A 4= 1.38826e-007  A 6=-2.25608e-011  A 8= 7.05801e-015
第25面
K =-3.20598e+000  A 4=-7.86592e-007  A 6=-1.94993e-010  A 8= 1.40774e-014
各種データ
ズーム比    120.00 
焦点距離       9.00    27.72    71.12   356.79  1080.00  
Fナンバー      1.85     1.85     1.85     1.85     5.60  
画角          31.43    11.22     4.42     0.88     0.29  
像高           5.50     5.50     5.50     5.50     5.50  
レンズ全長   657.18   657.18   657.18   657.18   657.18  
BF            12.00    12.00    12.00    12.00    12.00  
d10            3.13    97.13   141.13   177.16   187.42  
d17          297.77   191.44   132.73    57.35     2.03  
d26            3.00    15.34    30.04    69.40   114.46 
入射瞳位置   128.68   416.07   873.88  3239.97 14318.57  
射出瞳位置   306.94   306.94   306.94   306.94   306.94  
前側主点位置 137.95   446.40   962.14  4028.36 19353.29  
後側主点位置   3.00   -15.72   -59.12  -344.78 -1068.00  
ズームレンズ群データ
群  始面    焦点距離  レンズ構成長  前側主点位置  後側主点位置
1    1     248.58       113.27        62.46        -20.56
2   11     -26.00        24.36         4.30        -12.13
3   18      76.00        54.23        13.84        -25.71
4   27      54.93       149.41        67.47         11.36
広角端        中間          望遠端
β２   -0.134        -1.265        -2.525
β３   -0.274        -1.148        -1.741
β４    0.988         0.988         0.988